(57)【特許請求の範囲】
【請求項１】
取水口の前部に配置し、この取水口に塵芥が流入することを阻止するためのスクリーンの前方を陸路から囲い、塵芥を堰き止めることができる浮桟橋式の網場であって、
互いに係留し、略一列に配置した複数の箱状の浮体を備え、
これらの浮体は、それらの一部を移動して前記スクリーンに向けて塵芥を流すための開口部を設定可能に配置され、
複数の前記浮体の間隙を詰めて、前記開口部を設置している、浮桟橋式の網場。
【請求項２】
前記浮体は、塵芥が当接自在な堰き止め板を一方の側面に有し、
これらの堰き止め板を前記スクリーンと反対側に配置している、請求項１記載の浮桟橋式の網場。
【請求項３】
複数の前記浮体は、陸路から往来自在にそれらの上部が水面から浮上している、請求項１又は２記載の浮桟橋式の網場。
【発明の詳細な説明】
【技術分野】
【０００１】
本発明は、浮桟橋式の網場に関する。特に、発電設備に水を引き込むための取水口の前部に配置したスクリーンに、流木などの大形の塵芥が到達することを阻止するために、陸域から水域に向けて箱状の浮体を連設して、スクリーンを囲う浮桟橋式の網場の構造に関する。
【背景技術】
【０００２】
ダムなどの上流側に配置した取水口には、小枝又は落葉などの塵芥が流入することを阻止するため、格子状のスクリーンを前面に設置している。しかし、前述した塵芥が取水口用のスクリーンに滞留すると、取水量の低減に起因して、発電量が低減することが心配になる。又、流木などの大形の浮遊物がスクリーンに漂着すると、スクリーンを破損させる心配がある。このため、網場を水に浮いた状態で、取水口用のスクリーンの上流側に配置し、塵芥又は浮遊物をこの網場で堰き止めることで、塵芥又は浮遊物が取水口用のスクリーンに漂着することを防止している。【０００３】
しかし、船舶などを利用して、網場に漂着した流木などの大型の浮遊物を人力で除去することは容易でなかった。このため、取水口に自動除塵機を設置し、複数の浮体を連設した網場の一端部にウインチを連結し、網場の一端部をウインチで引き上げることで、浮遊物を下流の取水口側に流し、自動除塵機で浮遊物を除去する網場が開示されている（例えば、特許文献１参照）。【０００４】
又、網場の長手方向に沿って、ワイヤーを網場の上方に張設し、一組の滑車をワイヤーの中央部に懸架し、滑車を介してこれらの引き上げロープの一端部を網場に係留し、これらの引き上げロープの他端部側をウインチで巻回し、網場の中央部を引き上げることで、浮遊物を下流の取水口側に流し、自動除塵機で塵芥又は浮遊物を除去する網場が開示されている（例えば、特許文献２参照）。
【先行技術文献】
【特許文献】
【０００５】
【特許文献１】特開２００４―１００１６９号公報
【特許文献２】特開２０１０―２５５２１６号公報
【発明の概要】
【発明が解決しようとする課題】
【０００６】
しかし、特許文献１による網場は、比較的規模の大きい取水口で採用する場合、網場の自重が増加し、網場の引き揚げ高さも高くなる。このため、ウインチ能力が増大し、網場の両端部を支持する支柱も丈夫なものとするため、設備コストの増大が懸念される。【０００７】
又、特許文献２による網場は、以下の課題がある。
（１）水中に没したネットに付着した小枝又は落葉などの塵芥が互いに絡まり合い、ウインチで網場を引き揚げる際、網場の昇降がスムーズにできなくなる心配がある。又、塵芥の重量が網場に加わり、ウインチの能力を超過する心配がある。
（２）設備メンテナンスにおいて、船舶を使用するときには網場を取り外す必要がある。
（３）自動除塵機の能力を超える大きな流木などがある場合、これらの流木を下流へ流芥させると除塵機が故障する心配がある。又、これらの塵芥又は浮遊物を処理するために、発電機を停止する必要性が生じる心配があり、船舶などを使用して人力で処分する必要がある。【０００８】
このようなことから、小枝又は落葉などの塵芥がネットへ絡まることなく、塵芥を網場の下流への誘導することが容易な網場が求められている。そして、以上のことが本発明の課題といってよい。【０００９】
本発明は、このような課題に鑑みてなされたものであり、小枝又は落葉などの塵芥がネットへ絡まることなく、塵芥を網場の下流への誘導することが容易な、浮桟橋式の網場を提供することを目的とする。
【課題を解決するための手段】
【００１０】
本発明者らは、塵芥を堰き止めるために、ネットを用いることなく、箱状の浮体を連設した浮桟橋式の網場をスクリーンの前方に配置すると共に、これらの浮体の一部を移動して、スクリーン側に塵芥を流すための開口部を設ける構成とすることで、塵芥を網場の下流への誘導することが容易になると考え、これに基づいて、以下のような新たな浮桟橋式の網場を発明するに至った。【００１１】
（１）本発明による浮桟橋式の網場は、取水口の前部に配置し、この取水口に塵芥が流入することを阻止するためのスクリーンの前方を陸路から囲い、塵芥を堰き止めることができる浮桟橋式の網場であって、互いに係留し、略一列に配置した複数の箱状の浮体を備え、これらの浮体は、それらの一部を移動して前記スクリーンに向けて塵芥を流すための開口部を設定可能に配置されている。【００１２】
（２）前記浮体は、塵芥が当接自在な堰き止め板を一方の側面に有し、これらの堰き止め板を前記スクリーンと反対側に配置していることが好ましい。【００１３】
（３）複数の前記浮体は、陸路から往来自在にそれらの上部が水面から浮上していることが好ましい。【００１４】
（４）本発明による浮桟橋式の網場は、複数の前記浮体の間隙を詰めて、前記開口部を設置してもよい。【００１５】
（５）本発明による浮桟橋式の網場は、隣接し合う一組の前記浮体をヒンジで回動自在に連結し、一方の前記浮体の上面に他方の前記浮体の上面が重なる状態に、一方の前記浮体に対して他方の前記浮体を回動させて、前記開口部を設置してもよい。【００１６】
（６）本発明による浮桟橋式の網場は、前記浮体を列方向にスライドし、前記浮体を隣接する他の前記浮体に搭載し、前記開口部を設置してもよい。【００１７】
（７）本発明による浮桟橋式の網場は、一方の前記浮体に対して他方の前記浮体を縦列配置し、前記開口部を設置してもよい。
【発明の効果】
【００１８】
本発明による浮桟橋式の網場は、互いに係留し、略一列に配置した複数の箱状の浮体を備え、これらの浮体は、それらの一部を移動してスクリーンに向けて塵芥を流すための開口部を設定可能に配置されているので、取水口の規模に左右されず、塵芥を容易に流芥できる。【００１９】
又、本発明による浮桟橋式の網場は、小枝又は落葉などの塵芥がネットへ絡まることなく、塵芥を網場の下流への誘導することが容易である。又、大きな流木の細断などの処理も容易である。
【図面の簡単な説明】
【００２０】
【図１】本発明の一実施形態による浮桟橋式の網場の構成を示す平面図である。
【図２】前記実施形態による浮桟橋式の網場に備わる浮体の構成を示す正面図である。
【図３】前記実施形態による浮桟橋式の網場に備わる浮体の構成を示す平面図である。
【図４】前記実施形態による浮桟橋式の網場に備わる浮体の構成を示す右側面図である。
【図５】前記実施形態による浮桟橋式の網場の構成を示す平面図であり、複数の浮体の間隙を詰めて、開口部を設置した状態図である。
【図６】前記実施形態による浮桟橋式の網場の概略構成を示す正面図であり、一方の浮体に対して他方の浮体を回動させた状態図である。
【図７】前記実施形態による浮桟橋式の網場の概略構成を示す正面図であり、一方の浮体に他方の浮体を搭載した状態図である。
【図８】前記実施形態による浮桟橋式の網場の概略構成を示す平面図であり、一方の浮体に対して他方の浮体を縦列配置した状態図である。
【発明を実施するための形態】
【００２１】
以下、図面を参照して本発明を実施するための形態を説明する。
［浮桟橋式の網場の構成］
最初に、本発明の一実施形態による浮桟橋式の網場の構成を説明する。図１は、本発明の一実施形態による浮桟橋式の網場の構成を示す平面図である。
【００２２】
図２は、前記実施形態による浮桟橋式の網場に備わる浮体の構成を示す正面図である。図３は、前記実施形態による浮桟橋式の網場に備わる浮体の構成を示す平面図である。図４は、前記実施形態による浮桟橋式の網場に備わる浮体の構成を示す右側面図である。
【００２３】
図５は、前記実施形態による浮桟橋式の網場の構成を示す平面図であり、複数の浮体の間隙を詰めて、開口部を設置した状態図である。
【００２４】
（全体構成）
図１を参照すると、本発明の一実施形態による浮桟橋式の網場（以下、網場と略称する）１０は、スクリーンＳｃの前方を陸路の護岸Ｗｒから囲い、流木Ｗｄを含む塵芥Ｄを堰き止めできる。スクリーンＳｃは、取水口Ｗｉの前部に配置している。そして、スクリーンＳｃは、取水口Ｗｉに塵芥Ｄが流入することを阻止できる。
【００２５】
図１から図４を参照すると、網場１０は、互いに係留し、略一列に配置した複数の箱状の浮体１を備えている。図５を参照すると、複数の浮体１は、浮体１の一部を移動してスクリーンＳｃに向けて塵芥Ｄを流すための開口部Ａｐを設定可能に配置されている。
【００２６】
図１又は図５を参照すると、護岸Ｗｒからは、一組の岸壁Ｑ１・Ｑ２を河川に向けて突出している。一方の岸壁Ｑ１は、河川の上流Ｓｕ側に配置している。他方の岸壁Ｑ２は、河川の下流Ｓｄ側に配置している。網場１０の一端部は、一方の岸壁Ｑ１に係留している。網場１０の他端部は、他方の岸壁Ｑ２に係留している。
【００２７】
図１又は図５を参照すると、複数の浮体１は、一方の岸壁Ｑ１又は他方の岸壁Ｑ２を経由して、陸路から往来自在にそれらの上部が水面から浮上している。これにより、網場１０に搭乗して、複数の浮体１を移動できる。図５に示した状態では、複数の浮体１の間隙を詰めて、開口部Ａｐを設置している。
【００２８】
図１から図５を参照すると、実施形態による網場１０は、互いに係留し、略一列に配置した複数の箱状の浮体１を備え、これらの浮体１は、それらの一部を移動してスクリーンＳｃに向けて塵芥Ｄを流すための開口部Ａｐを設定可能に配置されているので、取水口Ｗｉの規模に左右されず、塵芥Ｄを容易に流芥できる。
【００２９】
一般に、網場は、塵芥を堰き止めるために、浮きを連設してネットを張っているが、実施形態による網場１０は、ネットを用いることなく、箱状の浮体を連設して塵芥を堰き止めている。
【００３０】
図１から図５を参照すると、実施形態による網場１０は、小枝又は落葉などの塵芥Ｄがネットへ絡まることなく、塵芥Ｄを網場１０の下流への誘導することが容易である。又、実施形態による網場１０は、網場１０に搭乗して、大きな流木Ｗｄの細断などの処理も容易である。更に、塵芥を堰き止めるための網場を浮き桟橋式とすることで、往来が可能となり、網場１０の保守が容易になる。
【００３１】
（浮体の構成）
次に、実施形態による浮体１の構成を説明する。図２から図４を参照すると、実施形態による浮体１は、一対の枠組みした直方体状のフレーム１ｂ・１ｂと複数のフロート１ｆを備えている。又、浮体１は、堰き止め板１ｄを備えている。
【００３２】
図２から図４を参照すると、一対のフレーム１ｂ・１ｂは、それらの側面同士が着脱自在に固定されている。一方のフレーム１ｂは、二個のフロート１ｆ・１ｆを内部に備えている。他方のフレーム１ｂは、二個のフロート１ｆ・１ｆを内部に備えている。複数のフロート１ｆは、浮体１の上面が水面Ｗｓと略平行になるように、バランスよく配置している。
【００３３】
図２から図４を参照すると、フレーム１ｂは、その上部に複数のグレーチング１ｇを敷設している。フレーム１ｂの上部に複数のグレーチング１ｇを敷設することで、表面排水できる。これにより、作業員が浮体１を往来するとき、又は、浮体１上で作業をするときに、作業員が滑り難くなる。
【００３４】
図２から図４を参照すると、浮体１は、グレーチング１ｇを介して、複数のポール１ｐを立設している。これらのポール１ｐには、ロープ１ｒを係留している。隣接する一組のポール１ｐ・１ｐにロープ１ｒを係留することで、隣接する一組の浮体１・１の離間を防止できる。隣接する一組のポール１ｐ・１ｐからロープ１ｒの係留を解除することで、一方の浮体１に対して他方の浮体１を移動できる。
【００３５】
図４を参照して、複数のポール１ｐを浮体１の端部に配置することで、ロープ１ｒ付きポール１ｐを通路と水面Ｗｓを仕切るフェンスとして利用できる。
【００３６】
図２から図４を参照すると、堰き止め板１ｄは、フレーム１ｂの一方の側面に固定されている。図１又は図５を参照すると、複数の堰き止め板１ｄは、スクリーンＳｃと反対側に配置している。堰き止め板１ｄには、流木Ｗｄを含む塵芥Ｄを当接できる。これにより、堰き止め板１ｄは、従来のネットに替えて、塵芥Ｄを堰き止めることができる。
【００３７】
（浮桟橋式の網場の開口部の設置手段）
次に、実施形態による網場１０の開口部の設置手段を説明する。
【００３８】
図６は、前記実施形態による浮桟橋式の網場の概略構成を示す正面図であり、一方の浮体に対して他方の浮体を回動させた状態図である。
【００３９】
図７は、前記実施形態による浮桟橋式の網場の概略構成を示す正面図であり、一方の浮体に他方の浮体を搭載した状態図である。
【００４０】
図８は、前記実施形態による浮桟橋式の網場の概略構成を示す平面図であり、一方の浮体に対して他方の浮体を縦列配置した状態図である。
【００４１】
（第１の設置手段）
図５を参照すると、網場１０は、図１に示した状態から、複数の浮体１の間隙を詰めて、開口部Ａｐを設置している。これにより、網場１０は、スクリーンＳｃに向けて塵芥Ｄを流すための開口部Ａｐを設定できる。
【００４２】
（第２の設置手段）
図６を参照すると、網場１０は、隣接し合う一組の浮体１・１をヒンジ１ｈで回動自在に連結している。一方の浮体１の上面に他方の浮体１の上面が重なる状態に、一方の浮体１に対して他方の浮体１を回動させることで、スクリーンＳｃに向けて塵芥Ｄを流すための開口部Ａｐを設定できる。
【００４３】
（第３の設置手段）
図７を参照すると、網場１０は、浮体１を列方向にスライドし、浮体１を隣接する他の浮体１に搭載している。これにより、網場１０は、スクリーンＳｃに向けて塵芥Ｄを流すための開口部Ａｐを設定できる。
【００４４】
（第４の設置手段）
図８を参照すると、網場１０は、一方の浮体１に対して他方の浮体１が行方向に後続するように、一方の浮体１に対して他方の浮体１を縦列配置している。これにより、網場１０は、スクリーンＳｃに向けて塵芥Ｄを流すための開口部Ａｐを設定できる。
【００４５】
［浮桟橋式の網場の作用］
次に、実施形態による網場１０の作用及び効果を説明する。
【００４６】
図１から図５を参照すると、実施形態による網場１０は、互いに係留し、略一列に配置した複数の箱状の浮体１を備え、これらの浮体１は、それらの一部を移動してスクリーンＳｃに向けて塵芥Ｄを流すための開口部を設定可能に配置されているので、取水口Ｗｉの規模に左右されず、塵芥を容易に流芥できる。
【００４７】
又、図１から図５を参照すると、網場１０は、小枝又は落葉などの塵芥Ｄがネットへ絡まることなく、塵芥Ｄを網場１０の下流への誘導することが容易である。又、網場１０は、網場１０に搭乗して、大きな流木Ｗｄの細断などの処理も容易である。更に、塵芥を堰き止めるための網場を浮き桟橋式とすることで、往来が可能となり、網場１０の保守が容易になる。
【００４８】
本発明による浮桟橋式の網場は、上述した効果に加え、以下の効果がある。
（１）取水口の前方に浮き桟橋式の網場を設置することにより、河川の上流において油が流出する事故が発生した時、オイルフェンスなどを容易に展張できる。
（２）一般的に護岸の上面から水面までの距離が遠いため、水面での作業時は船着場の階段などを利用するが、浮桟橋式の網場があることでアクセス手段が増える。
【符号の説明】
【００４９】
１  浮体
１０  網場（浮桟橋式の網場）
Ａｐ  開口部
Ｄ  塵芥
Ｓｃ  スクリーン
Ｗｉ  取水口
【図１】
0006521199.tif 000002
【図２】
0006521199.tif 000003
【図３】
0006521199.tif 000004
【図４】
0006521199.tif 000005
【図５】
0006521199.tif 000006
【図６】
0006521199.tif 000007
【図７】
0006521199.tif 000008
【図８】
0006521199.tif 000009